(57)【要約】【課題】  各顧客の購入した眼鏡に関する情報を効率良く管理することのできるＲＦＩＤチップ付き眼鏡及び眼鏡情報管理システムを提供する。【解決手段】  眼鏡情報管理システム１は、端末装置１１と、通信回線Ｎを介して端末装置１１から接続可能な管理サーバ１２と、ＲＦＩＤチップ付き眼鏡Ｇが具備するＲＦＩＤチップ１３と、端末装置１１に接続されたＲＦＩＤ読取装置１４とを備えている。管理サーバ１２には、識別子に関連付けられた顧客の個人属性情報及び当該顧客の購入した眼鏡に関する情報が端末装置１１を通じて更新可能に記憶されている。ＲＦＩＤ読取装置１４で読み取ったＲＦＩＤチップ１３に記憶された識別子が端末装置１１に送信された後、端末装置１１から管理サーバ１２に送信された場合、管理サーバ１２は、当該送信された識別子に対応する個人属性情報及び眼鏡に関する情報を検索し、当該検索によって抽出した情報を端末装置１１に送信する。【選択図】    図１
0003103080.tif 000002
【実用新案登録請求の範囲】
【請求項１】
眼鏡本体と、前記眼鏡本体が具備するレンズに取り付けられ識別子が記憶されたＲＦＩＤチップとを備えることを特徴とするＲＦＩＤチップ付き眼鏡。
【請求項２】
前記レンズに設けられ当該レンズの前面に開口を有する凹部に挿着された非金属の装飾体を更に備え、
前記ＲＦＩＤチップは、前記凹部の底面と前記装飾体との間に取り付けられていることを特徴とする請求項１に記載のＲＦＩＤチップ付き眼鏡。
【請求項３】
前記装飾体は、当該装飾体と前記凹部の底面との間に介挿された接着剤によって、前記凹部の底面に固着され、
前記ＲＦＩＤチップは、前記接着剤で封止されていることを特徴とする請求項２に記載のＲＦＩＤチップ付き眼鏡。
【請求項４】
前記装飾体は、当該装飾体と前記凹部の底面との間に介挿された両面接着テープによって前記凹部の底面に固着され、
前記ＲＦＩＤチップは、前記両面接着テープと前記凹部の底面との間に挟着されていることを特徴とする請求項２に記載のＲＦＩＤチップ付き眼鏡。
【請求項５】
端末装置と、
通信回線を介して前記端末装置から接続可能な管理サーバと、
請求項１から４のいずれかに記載のＲＦＩＤチップ付き眼鏡が具備するＲＦＩＤチップと、
前記端末装置に接続されたＲＦＩＤ読取装置とを備え、
前記管理サーバには、識別子に関連付けられた顧客の個人属性情報及び当該顧客の購入した眼鏡に関する情報が前記端末装置を通じて更新可能に記憶されており、
前記ＲＦＩＤ読取装置で読み取った前記ＲＦＩＤチップに記憶された識別子が前記端末装置に送信された後、当該端末装置から前記管理サーバに送信された場合、前記管理サーバは、当該送信された識別子に対応する個人属性情報及び眼鏡に関する情報を検索し、当該検索によって抽出した情報を前記端末装置に送信することを特徴とする眼鏡情報管理システム。
【考案の詳細な説明】
【技術分野】
【０００１】
本考案は、各顧客の購入した眼鏡に関する情報を効率良く管理することのできるＲＦＩＤチップ付き眼鏡及び眼鏡情報管理システムに関する。
【背景技術】
【０００２】
従来より、眼鏡販売店舗においては、各顧客の購入した眼鏡についてのメンテナンス管理や新たな眼鏡の販売促進に役立たせるべく、各顧客の個人属性情報（氏名、住所、生年月日、電話番号など）に関連付けて、当該顧客の購入した眼鏡に関する情報（購入した眼鏡の仕様、購入年月日、購入金額、メンテナンス履歴など）を管理している。斯かる眼鏡情報の管理方法としては、顧客台帳を用いて管理したり、或いは、販売店舗に設置したコンピュータに各顧客の個人属性情報に関連付けて当該顧客が購入した眼鏡情報を記憶することによって管理する方法などが用いられてきた。
【０００３】
顧客台帳を用いて管理する方法では、各顧客の個人属性情報に対応する眼鏡情報を検索するのに手間を要するという問題がある。また、特にチェーン店として多店舗展開している眼鏡販売企業にとっては、例えば一の販売店舗で販売した眼鏡について他の販売店舗での修理を顧客が欲したような場合に、顧客台帳を用いた管理方法では、当該眼鏡に関する情報を他の販売店舗で迅速に検索することができないという問題もある。
【０００４】
これに対し、コンピュータに各顧客の個人属性情報に関連付けて当該顧客が購入した眼鏡情報を記憶することによって管理する方法では、顧客台帳に比べて迅速な検索が可能であると共に、各販売店舗に設置したコンピュータをネットワーク化して情報を共有化することにより、一の販売店舗で販売した眼鏡に関する情報を他の販売店舗で迅速に検索することができるという利点を有する。
【０００５】
しかしながら、従来のコンピュータによる管理方法によれば、各顧客の個人属性情報に対応する眼鏡情報を検索するために、販売店舗の店員が顧客に氏名や電話番号などの個人属性情報を直接聞いた上で、或いは、顧客に筆記させて店員が読み取った上で、これを検索キーとしてコンピュータに入力する必要があり、顧客に煩わしさを感じさせたり、聞き取りミスや読み取りミスが生じるおそれがあるという問題があった。
【０００６】
ここで、コンピュータを用いた眼鏡情報の管理方法としては、コンピュータに各顧客毎に異なるＩＤ番号とこれに関連付けられた当該顧客の個人属性情報及び当該顧客の購入した眼鏡に関する情報を記憶しておく一方、ＩＤ番号を記録したメンバーズカードを発行し、顧客が提示したカードのＩＤ番号を読取装置で読み取ってコンピュータに入力することにより、各顧客の個人属性情報に対応する眼鏡情報を検索する方法も知られている。斯かる方法によれば、前述した問題を解消できるものの、あくまでも顧客が販売店舗に眼鏡と共にメンバーズカードを持参することが前提となるため、顧客にとっては煩わさを感じるという問題がある。また、カードを持参し忘れた場合には、販売店舗の店員が顧客に氏名や電話番号などの個人属性情報を聞く等の必要が生じ、やはり前述したように聞き取りミス等の問題が生じるおそれがあることになる。さらに、カードを紛失するおそれもあり、紛失した場合には、販売店舗側はカードを再発行する手間が生じることになる。
【考案の開示】
【考案が解決しようとする課題】
【０００７】
以上のように、従来の眼鏡情報の管理方法は、顧客側及び眼鏡販売店舗側の双方にとって手間が掛かり効率が悪いという問題があった。
【０００８】
本考案は、斯かる従来技術の問題を解決するべくなされたものであり、各顧客の購入した眼鏡に関する情報を効率良く管理することのできるＲＦＩＤチップ付き眼鏡及び眼鏡情報管理システムを提供することを課題とする。
【課題を解決するための手段】
【０００９】
前記課題を解決するべく、本考案は、眼鏡本体と、前記眼鏡本体が具備するレンズに取り付けられ識別子が記憶されたＲＦＩＤチップとを備えることを特徴とするＲＦＩＤチップ付き眼鏡を提供するものである。
【００１０】
斯かる考案によれば、眼鏡本体に取り付けられたＲＦＩＤ（Radio Frequency Identification）チップに記憶された識別子が無線周波として外部に送信されることになる。従って、例えば、各識別子に関連付けられた顧客の個人属性情報及び当該顧客の購入した眼鏡に関する情報をコンピュータに記憶しておく一方、前記送信された識別子を所定のＲＦＩＤ読取装置で受信し読み取り、当該読み取った識別子に対応する個人属性情報及び眼鏡に関する情報を前記コンピュータから抽出する管理方法を採用すれば、従来のようにＩＤ番号を記録したメンバーズカードを店舗に持参する必要もなく、眼鏡情報を効率良く管理することが可能である。
【００１１】
また、本考案に係るＲＦＩＤチップ付き眼鏡は、眼鏡本体が具備するレンズにＲＦＩＤチップが取り付けられている。換言すれば、非金属材料にＲＦＩＤチップが取り付けられた構成であるため、たとえ眼鏡本体のフレームが金属材料から形成されている場合であっても、当該金属材料の影響を受け難く（金属材料にＲＦＩＤチップを直接取り付ける構成であれば、無線周波が当該金属材料で反射したり減衰することにより感度が低下する等の影響を受ける場合がある）、ＲＦＩＤチップに記憶された識別子を精度良く受信し、読み取ることができるという利点を有する。
【００１２】
さらに、レンズ上に存在し得る埃や汚れ等に影響されない上、ＲＦＩＤチップのレンズ上での取り付け位置についての制約も乏しく自由度が高いという利点も有する。
【００１３】
好ましくは、前記ＲＦＩＤチップ付き眼鏡は、前記レンズに設けられ当該レンズの前面に開口を有する凹部に挿着された非金属の装飾体を更に備え、前記ＲＦＩＤチップは、前記凹部の底面と前記装飾体との間に取り付けられる。
【００１４】
斯かる構成によれば、ＲＦＩＤチップが、レンズに設けられた凹部の底面と凹部に挿着された装飾体との間に取り付けられるため、換言すれば、凹部壁面及び凹部に挿着された装飾体によって囲繞されている構成であるため、たとえＲＦＩＤチップが取付箇所から離脱したとしても、装飾体が凹部から脱落しない限りは、ＲＦＩＤチップも凹部から脱落することなく、凹部内に保持されるという利点を有する。また、装飾体がレンズの前面に開口を有する凹部に挿着されるため、レンズ前面側から見た場合、ＲＦＩＤチップは装飾体の背面側に位置することになり、美観を損ねることもない。さらには、装飾体が非金属とされているため、ＲＦＩＤチップから送信される無線周波に影響を及ぼすこともない。なお、装飾体としては、例えば、誕生石等の実物或いは模造の宝石類の他、非金属である限りにおいて種々のものを適用可能である。
【００１５】
前記ＲＦＩＤチップを前記凹部の底面と前記装飾体との間に取り付ける構成として、より具体的には、前記装飾体を当該装飾体と前記凹部の底面との間に介挿された接着剤によって前記凹部の底面に固着すると共に、前記ＲＦＩＤチップを前記接着剤で封止する構成や、前記装飾体を当該装飾体と前記凹部の底面との間に介挿された両面接着テープによって前記凹部の底面に固着すると共に、前記ＲＦＩＤチップを前記両面接着テープと前記凹部の底面との間に挟着する構成を採用することが可能である。
【００１６】
また、本考案は、端末装置と、通信回線を介して前記端末装置から接続可能な管理サーバと、前記ＲＦＩＤチップ付き眼鏡が具備するＲＦＩＤチップと、前記端末装置に接続されたＲＦＩＤ読取装置とを備え、前記管理サーバには、識別子に関連付けられた顧客の個人属性情報及び当該顧客の購入した眼鏡に関する情報が前記端末装置を通じて更新可能に記憶されており、前記ＲＦＩＤ読取装置で読み取った前記ＲＦＩＤチップに記憶された識別子が前記端末装置に送信された後、当該端末装置から前記管理サーバに送信された場合、前記管理サーバは、当該送信された識別子に対応する個人属性情報及び眼鏡に関する情報を検索し、当該検索によって抽出した情報を前記端末装置に送信することを特徴とする眼鏡情報管理システムとしても提供される。
【００１７】
斯かる考案によれば、レンズに取り付けられたＲＦＩＤチップによって眼鏡自体に識別子が記憶されていることになり、管理サーバは、パーソナルコンピュータ等の端末装置から眼鏡に記憶された識別子が送信された場合、当該送信された識別子に対応する個人属性情報及び眼鏡に関する情報を検索し、当該検索によって抽出した情報を端末装置に送信するように構成される。従って、従来のようにＩＤ番号を記録したメンバーズカードを店舗に持参する必要もなく、また、眼鏡販売店舗の店員が識別子を目視で読み取る必要もなく、眼鏡に記憶された（ＲＦＩＤチップに記憶された）識別子をＲＦＩＤ読取装置で読み取った後、端末装置に送信し、管理サーバに送信するだけで当該識別子に対応する個人属性情報及び眼鏡情報を抽出できるため、効率の良い管理が可能である。
【考案の効果】
【００１８】
本考案に係るＲＦＩＤチップ付き眼鏡によれば、眼鏡本体に取り付けられたＲＦＩＤチップに記憶された識別子が無線周波として外部に送信されるため、各識別子に関連付けられた顧客の個人属性情報及び当該顧客の購入した眼鏡に関する情報をコンピュータに記憶しておく一方、前記送信された識別子を所定のＲＦＩＤ読取装置で受信し読み取り、当該読み取った識別子に対応する個人属性情報及び眼鏡に関する情報を前記コンピュータから抽出する管理方法を採用すれば、従来のようにＩＤ番号を記録したメンバーズカードを店舗に持参する必要もなく、眼鏡情報を効率良く管理することが可能である。また、本考案に係るＲＦＩＤチップ付き眼鏡は、眼鏡本体が具備する非金属材料のレンズにＲＦＩＤチップが取り付けられた構成であるため、たとえ眼鏡本体のフレームが金属材料から形成されている場合であっても、当該金属材料の影響を受け難く、ＲＦＩＤチップに記憶された識別子を精度良く受信し、読み取ることができるという利点を有する。さらに、レンズ上に存在し得る埃や汚れ等に影響されない上、ＲＦＩＤチップのレンズ上での取り付け位置についての制約も乏しく自由度が高いという利点も有する。
【考案を実施するための最良の形態】
【００１９】
以下、添付図面を参照しつつ、本考案の一実施形態について説明する。
図１は、本考案の一実施形態に係る眼鏡情報管理システムの概略構成を示す図である。図１に示すように、本実施形態に係る眼鏡情報管理システム１は、端末装置１１Ａ〜１１Ｃ（以下、適宜これらを総称して端末装置１１という）と、通信回線としてのインターネットＮを介して端末装置１１から接続可能な管理サーバ１２とを備えている。また、本実施形態に係る眼鏡情報管理システム１は、眼鏡Ｇ１〜Ｇ３（以下、適宜これらを総称して眼鏡Ｇ、或いは、ＲＦＩＤチップ付き眼鏡Ｇという）がそれぞれ具備し識別子が記憶されたＲＦＩＤ（Radio Frequency Identification）チップ１３（図３、図４参照）と、端末装置１１Ａ〜１１Ｃにそれぞれ接続されたＲＦＩＤ読取装置１４Ａ〜１４Ｃ（以下、適宜これらを総称してＲＦＩＤ読取装置１４という）とを備えている。
【００２０】
端末装置１１Ａ〜１１Ｃは、眼鏡販売企業の各販売店舗Ｓ１〜Ｓ３（以下、適宜これらを総称して店舗販売Ｓという）にそれぞれ設置されている。端末装置１１としては、インターネットＮ等の通信回線を介して管理サーバ１２に接続可能である限りにおいて特に制約はなく、例えば、汎用のパーソナルコンピュータやＰＤＡ（Personal Digital Assistant）等から構成される。
【００２１】
管理サーバ１２は、眼鏡販売企業が運営・管理しており、前述のように、インターネットＮを介して端末装置１１から接続可能とされている。管理サーバ１２には、眼鏡販売企業が設定した識別子に関連付けられた顧客の個人属性情報及び当該顧客の購入した眼鏡に関する情報が端末装置１１を通じて更新可能に記憶されている。
【００２２】
より具体的に説明すれば、管理サーバ１２には、所定の桁数を有する数字や英数字等から構成される識別子に関連付けて、顧客の個人属性情報（氏名、住所、固定電話番号、携帯電話番号、パーソナルコンピュータの電子メールアドレス、携帯電話の電子メールアドレス、生年月日、家族の有無、趣味など）及び当該顧客の購入した眼鏡に関する情報（購入した眼鏡の仕様、購入年月日、検査度数、眼鏡度数、来店方法、来店動機、担当者、購入金額などの購入履歴に関する情報、並びに、ナイロールフレームにおけるナイロン糸交換の年月日・回数、パッド交換の年月日・回数、先セル交換の年月日・回数、クリーニングサービスの年月日・回数、掛け具合とバランス調整サービスの年月日・回数、フレーム再メッキサービスの年月日・回数などのメンテナンス履歴に関する情報）が更新可能に記憶されている。
【００２３】
以上に述べた情報の他、本実施形態に係る管理サーバ１２には、眼鏡の販売促進履歴に関する情報（顧客宅への訪問年月日、訪問内容、ダイレクトメールの発送年月日・内容、電子メールの送信年月日・内容など）や、眼鏡のメンテナンス以外のサービス履歴（視力測定サービスの年月日・回数、張力測定サービスの年月日・回数、ポイントサービスのポイント数など）も更新可能に記憶されている。
【００２４】
より具体的に説明すれば、管理サーバ１２は、端末装置１１を通じて情報を入力するための所定のウェブサイトを提供しており、端末装置１１から当該情報入力用ウェブサイトにアクセスした後、識別子、顧客の個人属性情報及び当該顧客の購入した眼鏡に関する情報等を入力することにより、前記識別子に関連付けて前記情報を記憶することになる。
【００２５】
なお、本実施形態では、各眼鏡Ｇ毎に異なる識別子を設定する構成を採用している。従って、同じ顧客であっても、複数の眼鏡Ｇを購入した場合には、各眼鏡Ｇに対応する複数の識別子を有することになり、管理サーバ１２には、複数の識別子のそれぞれに関連付けて同一の顧客の個人属性情報が記憶されることになる。斯かる構成によれば、顧客に販売する前に予め各眼鏡Ｇが具備するＲＦＩＤチップ１３に識別子を記憶しておく運用を採用することが可能である。
【００２６】
ただし、本考案はこれに限るものではなく、各顧客毎に異なる識別子を設定する構成を採用することも可能である。斯かる構成の場合には、眼鏡Ｇを販売する顧客が決定した後に、ＲＦＩＤチップ１３に識別子を記憶させ、当該ＲＦＩＤチップ１３を当該眼鏡Ｇの眼鏡本体に取り付ける必要が生じるため、当該眼鏡Ｇが顧客の手に渡るのに時間を要するという欠点があるものの、同じ顧客が複数の眼鏡Ｇを購入した場合には、同じ識別子で全ての眼鏡Ｇに関する情報を管理することができるという利点を得ることができる。
【００２７】
次に、管理サーバ１２は、端末装置１１Ａ〜１１Ｃからそれぞれ眼鏡Ｇ１〜Ｇ３が具備するＲＦＩＤチップ１３に記憶された識別子が送信された場合、当該送信された識別子に対応する個人属性情報や眼鏡に関する情報などの上述した情報を検索し、当該検索によって抽出した情報を前記識別子を送信した端末装置１１Ａ〜１１Ｃに送信するように構成されている。
【００２８】
より具体的に説明すれば、管理サーバ１２は、記憶された情報を端末装置１１で閲覧するための所定のウェブサイトを提供しており、端末装置１１から前記情報閲覧用ウェブサイトにアクセスした後、眼鏡に記憶された識別子を入力することにより、当該識別子に対応する情報が検索・抽出されて表示されることになる。
【００２９】
なお、前述のように、眼鏡Ｇは、識別子が記憶されたＲＦＩＤチップ１３を具備する一方、端末装置１１にはＲＦＩＤ読取装置１４が接続されている。斯かる構成により、ＲＦＩＤチップ１３に記憶された識別子は無線周波としてＲＦＩＤ読取装置１４に送信され、ＲＦＩＤ読取装置１４で受信されて読み取られた後、自動的に端末装置１１に送信されることになる。従って、前述した情報閲覧用ウェブサイトでの識別子の入力は、当該ウェブサイトにアクセスした後、ＲＦＩＤ読取装置１４で識別子を読み取り、端末装置１１に送信された識別子を端末装置１１から管理サーバ１２へ自動的に送信することによって実行する構成を採用することが可能である。ただし、端末装置１１に送信され端末装置１１が具備するモニタに表示された識別子を販売店舗Ｓの店員が目視で読み取り手入力する構成を採用することも可能である。
【００３０】
販売店舗Ｓの店員は、前記表示された情報を参照しながら、各顧客が購入した眼鏡のメンテナンス等のサービスを施すことができる他、各顧客に応じた新たな眼鏡の販売促進を図ることもできる。なお、サービスを終えた店員が前記情報入力用ウェブサイトにおいて更新情報を入力することにより、当該更新情報は管理サーバ１２に記憶されることになる。また、前記記憶された情報の閲覧や更新情報の入力は、インターネットＮを介して管理サーバ１２と接続可能な端末装置１１である限りにおいて、何れの端末装置１１を通じても実行可能であるため、眼鏡Ｇを購入した販売店舗Ｓとメンテナンス等のサービスを受ける販売店舗Ｓとが異なるような場合であっても何ら問題は生じず、管理サーバ１２において情報を共有化することができる。
【００３１】
以上に説明したように、本実施形態に係る眼鏡情報管理システム１では、取り付けられたＲＦＩＤチップ１３によって眼鏡Ｇ自体に識別子が記憶されていることになり、管理サーバ１２は、端末装置１１から眼鏡Ｇに記憶された識別子が送信された場合、当該送信された識別子に対応する個人属性情報及び眼鏡に関する情報を検索し、当該検索によって抽出した情報を端末装置１１に送信するように構成されている。従って、従来のようにＩＤ番号を記録したメンバーズカードを販売店舗Ｓに持参する必要もなく、また、販売店舗Ｓの店員が識別子を目視で読み取る必要もなく、眼鏡Ｇに記憶された識別子をＲＦＩＤ読取装置１４で読み取った後、端末装置１１に送信し、管理サーバ１２に送信するだけで当該識別子に対応する個人属性情報及び眼鏡情報を抽出できるため、効率の良い管理が可能である。
【００３２】
なお、ＲＦＩＤチップ１３としては、少なくとも識別子を記憶する機能を奏すればよいため、読み取り専用型のチップを適用することができる。しかしながら、データの書き込みが可能な書き込み型のＲＦＩＤチップを採用すれば、管理サーバ１２に更新可能に記憶されるべき顧客の個人属性情報や当該顧客の購入した眼鏡に関する情報の一部を当該ＲＦＩＤチップに記憶させることもでき、管理サーバ１２の負荷を低減することができる点で好ましい。
【００３３】
以下、図２〜図４を適宜参照しつつ、ＲＦＩＤチップ付き眼鏡Ｇの具体的構成について説明する。
【００３４】
図２は、ＲＦＩＤチップ付き眼鏡の外観を概略的に示す斜視図である。また、図３は、図２のＡ−Ａ矢視断面を拡大して示す図である。図２及び図３に示すように、ＲＦＩＤチップ付き眼鏡Ｇは、眼鏡本体（通常の眼鏡を構成する部材）と、眼鏡本体が具備するレンズ２に取り付けられ識別子が記憶されたＲＦＩＤチップ１３とを備えている。さらに、本実施形態に係る眼鏡Ｇは、好ましい態様として、レンズ２に設けられ当該レンズ２の前面に開口を有する凹部２１に挿着された非金属の装飾体（誕生石等の実物或いは模造の宝石類の他、非金属である限りにおいて種々のものを適用可能）３を備えており、ＲＦＩＤチップ１３は、凹部２１の底面２１１と装飾体３との間に取り付けられている。
【００３５】
より具体的に説明すれば、装飾体３は、装飾体３と凹部２１の底面２１１との間に介挿された接着剤層４によって、凹部２１の底面２１１に固着されており、ＲＦＩＤチップ１３は、接着剤層４で封止された構成となっている。特に、本実施形態では、装飾体３が固着される凹部２１の底面２１１は平坦面とされており、これに対向する装飾体３の底面３１も平坦面とされているため、両者は接着剤層４を介して面接触すると共に、接着剤層４との接触面積も大きくなるため、両者は強固に密着して固着されることになる。ただし、本考案は斯かる形態に限るものではなく、装飾体３の底面（底部）を多角錐の斜面や球面状に構成し、これに応じて凹部２１の底面（底部）も多角錐の斜面や球面状に構成することも可能である。なお、ＲＦＩＤチップ１３は、数十μｍ程度の厚みであるため、前述のように、接着剤層４で封止される（接着剤層４中に埋もれる）ことになる。従って、装飾体３の底面３１を凹部２１の底面２１１に固着する際に、ＲＦＩＤチップ１３が接着剤層４から突出し、接着剤層４（の上面）と装飾体３（の底面３１）とが上手く接触せずに、固着不良が生じるというような問題は生じない。
【００３６】
また、本実施形態に係る装飾体３は、その高さが凹部２１の深さと略同程度とされており、装飾体３が凹部２１から突出しない構成とされているため、装飾体３が取り付けられたレンズ２の前面は略面一となり、レンズ拭き等でレンズ２の前面を清掃する際に、レンズ拭きを傷つける恐れがなく好適である。
【００３７】
次に、図４を参照しつつ、斯かる構成を有するＲＦＩＤチップ付き眼鏡Ｇの製造方法（ＲＦＩＤチップの取付方法）について簡単に説明する。
【００３８】
図４は、ＲＦＩＤチップを眼鏡本体のレンズに取り付ける方法を説明するための説明図である。ＲＦＩＤチップ１３をレンズ２に取り付けるに際しては、まず、レンズ２の前面２２を上方（図４の紙面上側）に向けた状態で、レンズ２の所定箇所に設けられた凹部２１の底面２１１上にＲＦＩＤチップ１３を載置する（図４（ａ））。次に、凹部２１の底面２１１上に接着剤を塗布して接着剤層４を形成する（図４（ｂ））。この際、接着剤層４の厚みがＲＦＩＤチップ１３の厚み以上となるように接着剤を塗布する必要があるが、前述のように、ＲＦＩＤチップ１３は極薄であるため、通常の塗布方法で十分に上記条件を満足することが可能である。最後に、装飾体３を上方から凹部２１に嵌め込み、装飾体３の底面３１を接着剤層４に軽く押し付けることにより、装飾体３は凹部２１に挿着され、ＲＦＩＤチップ１３は、装飾体３の底面３１と凹部２１の底面２１１との間に取り付けられることになる。なお、レンズ２に凹部２１を設けるための具体的方法については、例えば、実用新案登録第３０９６１０８号公報に記載されているような、ボール盤を用いる方法を適用することが可能である。
【００３９】
以上に説明したように、ＲＦＩＤチップ付き眼鏡Ｇは、眼鏡本体が具備するレンズ２にＲＦＩＤチップ１３が取り付けられている。換言すれば、非金属材料にＲＦＩＤチップ１３が取り付けられた構成であるため、たとえ眼鏡本体のフレームが金属材料から形成されている場合であっても、当該金属材料の影響を受け難く、ＲＦＩＤ読取装置１４によってＲＦＩＤチップ１３に記憶された識別子を精度良く受信し読み取ることができるという利点を有する。
【００４０】
また、ＲＦＩＤチップ１３が、レンズ２に設けられた凹部２１の底面２１１と凹部２１に挿着された装飾体３との間に取り付けられるため（凹部２１の壁面及び装飾体３によって囲繞されている構成であるため）、眼鏡Ｇを長期間に亘って繰り返し装着している内に、仮にＲＦＩＤチップ１３が取付箇所（本実施形態の場合は、凹部２１の底面２１１）から離脱したとしても、装飾体３が凹部２１から脱落しない限りは、ＲＦＩＤチップ１３も凹部２１から脱落することなく、凹部２１内に保持されるという利点を有する。また、装飾体３がレンズ２の前面に開口を有する凹部２１に挿着される構成であるため、レンズ２の前面側から見た場合（図２）、ＲＦＩＤチップ１３は装飾体３の背面側に位置することになり、美観を損ねることもない。さらには、装飾体３が非金属とされているため、ＲＦＩＤチップ１３から送信される無線周波に影響を及ぼすこともない。
【００４１】
なお、本実施形態では、ＲＦＩＤチップ１３を凹部２１の底面２１１と装飾体３との間に取り付けるために、接着剤層４を用いる構成について説明したが、本考案はこれに限るものではなく、例えば、接着剤層４の代わりに両面接着テープを用いる構成を採用することも可能である。つまり、装飾体３の底面３１を、装飾体３と凹部２１の底面２１１との間に介挿された両面接着テープによって凹部２１の底面２１１に固着すると共に、ＲＦＩＤチップ１３を両面接着テープと凹部２１の底面２１１との間に挟着する構成を採用してもよい。
【００４２】
また、本実施形態では、図２に示すように、片方のレンズ２の単一の凹部２１にのみＲＦＩチップ１３を取り付け、装飾体３を挿着する構成について説明した。しかしながら、眼鏡Ｇの美観を高める観点からすれば、ＲＦＩＤチップ１３を取り付けずに単に装飾体３を挿着するためだけの凹部を他方のレンズ２に、或いは、同一のレンズ２の別の箇所に更に形成し、当該形成した凹部に装飾体３のみを挿着する構成を採用することが望ましい。
【図面の簡単な説明】
【００４３】
【図１】図１は、本考案の一実施形態に係る眼鏡情報管理システムの概略構成を示す図である。
【図２】図２は、ＲＦＩＤチップ付き眼鏡の外観を概略的に示す斜視図である。
【図３】図３は、図２のＡ−Ａ矢視断面を拡大して示す図である。
【図４】図４は、ＲＦＩＤチップを眼鏡本体のレンズに取り付ける方法を説明するための説明図である。
【符号の説明】
【００４４】
１・・・眼鏡情報管理システム
２・・・レンズ
３・・・装飾体
４・・・接着剤層（接着剤）
１１，１１Ａ，１１Ｂ，１１Ｃ・・・端末装置
１２・・・管理サーバ
１３・・・ＲＦＩＤチップ
１４，１４Ａ，１４Ｂ，１４Ｃ・・・ＲＦＩＤ読取装置
２１・・・凹部
２１１・・・凹部の底面
Ｎ…インターネット（通信回線）
Ｇ，Ｇ１，Ｇ２，Ｇ３…ＲＦＩＤチップ付き眼鏡
【図１】
0003103080.tif 000003
【図２】
0003103080.tif 000004
【図３】
0003103080.tif 000005
【図４】
0003103080.tif 000006